(57)【特許請求の範囲】
【請求項１】
装置本体に設けられた開口部に対し開時には扉を引き下げて、閉時には扉を引き上げて用いられる昇降扉構造であって、
前記開口部の左右両側に配設されて上側部相互間に架設された上横枠を有する縦枠のそれぞれは、前記扉の各縦框側に付設されたガイド部を各別に案内すべく配設されたスライドレールを備え、
前記上横枠の左右位置のそれぞれに取付け片を介して各別に配置される定荷重ばね体は、前記取付け片と該取付け片が備えるブラケットとの間に配設された各上下２本の支軸を介して各別に回転自在に軸支された各２個のリール部と、該リール部の別に基端を固定して同方向に巻装された各２枚の渦巻きばねとで構成され、
左側の渦巻きばねの各開放端と右側の渦巻きばねの各開放端とは、左右の別に前記扉の上框に突設された各１個の連結片に直結して、外力が付与されない限り常に静止状態を維持するようにして吊持させたことを特徴とする昇降扉構造。
【発明の詳細な説明】
【０００１】
【発明の属する技術分野】
本発明は、基板検査装置等、各種の装置本体が備える開口部をコンパクトな構造のもとで上下方向での手動による昇降操作により安定的に開閉できる扉を備えた昇降扉構造に関する。
【０００２】
【従来の技術】
基板検査装置や各種の実験装置を構成する装置本体は、作業を行うための開口部が設けられており、該開口部は、通常、昇降扉により開閉できるように形成されている。また、上記昇降扉は、外力が付与されない限り常に停止した状態を維持できるようにバランスをとって吊持される構造が採用されている。
【０００３】
【発明が解決しようとする課題】
しかし、従来からある上記した昇降扉の吊持構造は、別途設置されるエレベータ式のバランス重りとの関係で均衡をとりながら停止した状態が維持できるようになっており、そのために重りや滑車などの構成部材を収容するためのスペースが別途に必要となるばかりでなく、昇降扉が重い場合には、均衡をとる関係上、重りも大きくなってしまい、小型装置への適用が難しくなるという不都合があった。
【０００４】
本発明は、従来技術にみられた上記課題に鑑み、各種の装置本体が備える開口部をコンパクトな構造のもとで上下方向での手動操作により簡単で安定的に開閉できる昇降扉構造を提供することをその目的とする。
【０００５】
【課題を解決するための手段】
本発明は、上記目的を実現すべくなされたものであり、その構成上の特徴は、装置本体に設けられた開口部に対し開時には扉を引き下げて、閉時には扉を引き上げて用いられる昇降扉構造であって、前記開口部の左右両側に配設されて上側部相互間に架設された上横枠を有する縦枠のそれぞれは、前記扉の各縦框側に付設されたガイド部を各別に案内すべく配設されたスライドレールを備え、前記上横枠の左右位置のそれぞれに取付け片を介して各別に配置される定荷重ばね体は、前記取付け片と該取付け片が備えるブラケットとの間に配設された各上下２本の支軸を介して各別に回転自在に軸支された各２個のリール部と、該リール部の別に基端を固定して同方向に巻装された各２枚の渦巻きばねとで構成され、左側の渦巻きばねの各開放端と右側の渦巻きばねの各開放端とは、左右の別に前記扉の上框に突設された各１個の連結片に直結して、外力が付与されない限り常に静止状態を維持するようにして吊持させたことにある。
【０００６】
【発明の実施の形態】
図１は、本発明の要部構造例を示す正面図であり、装置本体１１に設けられた開口部１２に対し開時には取っ手３０を把持して例えば透視のためのガラス窓３１を有する扉２５を引き下げて、閉時には取っ手３０を把持して扉２５を引き上げることにより開閉操作ができる構造を備えて形成されている。
【０００７】
この場合、装置本体１１の開口部１２は、その縦方向が左右両側に配設される金属サッシ等により形成された縦枠１３により仕切られており、これら縦枠１３,１３の上側部１３ａ,１３ａ相互間に架設された金属サッシ等からなる上横枠１５によりその上側が仕切られている。そして、これら縦枠１３のそれぞれは、扉２５の左右に位置する各縦框２６側に付設されたガイド部２８を各別に案内すべく配設されたスライドレール１４を備えている。また、上横枠１５の左右両側には、扉２５を吊持するために用いられる定荷重ばね体１７が各別に配設されている。
【０００８】
該定荷重ばね体１７は、上横枠１５の左側と右側とに各別に取り付けられるものであり、これを図２に従って右側の定荷重ばね体１７を例により詳しく説明する。
【０００９】
すなわち、上横枠１５の右側には、図２（ａ）に示すように取付け片１６が一体となって立設されている。また、該取付け片１６は、図２（ｂ）,（ｃ）に示すように後方に略Ｌ字状に張り出させたブラケット１８を備えており、これら取付け片１６とブラケット１８との間に配設した上下２本の支軸１９を介して２個のリール部２０が回転自在に軸支されている。しかも、各リール部２０には、基端が固定された渦巻きばね２１が同方向に巻装されており、それぞれの開放端２１ａは、扉２５の上框２７に突設された連結片２９に直結することにより、定荷重ばね体１７の全体が形成されている。
【００１０】
すなわち、左右の各定荷重ばね体１７は、上下に配置された２個のリール部２０のそれぞれに渦巻きばね２１が各別に巻装されている二連装構造となって配設されている。なお、上横枠１５の左側に位置する定荷重ばね体１７は、常に右側の構成と同一の構成とし、扉２５の重量を各１／２ずつ分担できるようにして配設されることになる。
【００１１】
一方、スライドレール１４にガイド部２８を案内させて配設される扉２５は、その上框２７側の左右位置に立設されている連結片２９のそれぞれに対し、対応する位置関係にある定加重ばね体１７を構成している２枚の渦巻きばね２１の開放端２１ａが各別に直結されており、外力が付与されない限り常に停止状態を維持するようにして吊持されている。
【００１２】
つまり、扉２５は、その重量がＸであるとすれば、左側の定荷重ばね体１７が支える重量はＸ／２で、右側の定荷重ばね体１７が支える重量もＸ／２となるように調整することにより、他に外力が加えられない自然状態にある限り、常にバランスのとれた静止状態を維持して吊持されることになる。
【００１３】
次に、上記構成からなる本発明につき、その作用を説明すれば、装置本体１１の開口部１２を閉じた状態にある扉２５は、作業者が取っ手３０を把持して引き下ろすことにより、開口部１２を開けることができる。
【００１４】
このとき、上横枠１５の側に設置されている定荷重ばね体１７は、窓２５の重量と均衡状態を保持してこれを吊持しているので、作業者が引き下げ方向での力を解除すると同時にその動きを停止する。
【００１５】
また、開口部１２を開けた状態にある扉２５は、作業者が取っ手３０を把持して引き上げることにより、開口部１２を閉じることができる。この際も作業者が引き上げ方向での力を解除すると同時にその動きを停止する。
【００１６】
このため、作業者は、上下方向での手動操作により扉２５を簡単で円滑に開閉でき、また、任意位置で扉の動きを止めることもできるので、作業性の向上に寄与させることができる。
【００１７】
しかも、扉２５に対しこのような動きを付与する定荷重ばね体１７は、上横枠１５の左右両側に配設されてコンパクトに巻き取られた各２枚の渦巻きばね２１を備えて形成されているので、例えば左右の縦枠１３の外側にロープに吊した重りを配置するためのスペースを確保する必要をなくして、装置本体１１における開口部１２周りをコンパクト化することができる。
【００１８】
また、定荷重ばね体１７のそれぞれは、上横枠１５の左右両側に取り付けたブラケット１８を介して各２個のリール部２０と各２枚の渦巻きばね２１とが配設された２連装構造のもとで形成されており、各渦巻きばね２１の開放端２１ａを扉２５側に直結するというロープや滑車が不要な簡単な構造となっているので、コスト低減に有効に寄与させることができるだけでなく、保守の必要をもなくして長期にわたり安定的に使用することができる。
【００１９】
【発明の効果】
以上述べたように本発明によれば、扉は、作業者により容易に昇降でき、かつ、任意の位置にて停止させることもできるので、作業を円滑に遂行することができる。
【００２０】
しかも、扉に対しこのような動きを付与する定荷重ばね体は、上横枠の左右両側にまとめて配設できるので、装置本体における開口部周りをコンパクト化することができる。また、定荷重ばね体のそれぞれは、上横枠の左右両側に取り付けたブラケットを介して各２個のリール部と各２枚の渦巻きばねとが配設された２連装構造のもとで形成されており、各渦巻きばねの開放端を扉側に直結するという簡単な構造とすることで、コスト低減に有効に寄与させることができるだけでなく、保守の必要をもなくして長期にわたり安定的に使用することができる。
【図面の簡単な説明】
【図１】  本発明の一例についての要部構造を示す正面図。
【図２】  図１における一点鎖線による囲繞部分を拡大して示す説明図であり、そのうちの（ａ）は正面側からみた場合を、（ｂ）は右側面側からみた場合を、（ｃ）は平面側からみた場合をそれぞれ示す。
【符号の説明】
１１  装置本体
１２  開口部
１３  縦枠
１３ａ  上側部
１４  スライドレール
１５  上横枠
１６  取付け片
１７  定荷重ばね体
１８  ブラケット
１９  支軸
２０  リール部
２１  渦巻きばね
２１ａ  開放端
２５  扉
２６  縦框
２７  上框
２８  ガイド部
２９  連結片
３０  取っ手
３１  ガラス窓
【図１】
0004311865.tif 000002
【図２】
0004311865.tif 000003